(57)【特許請求の範囲】
【請求項１】
フランジを有すると共に底部に通気孔を有する剛性の外容器の内部に、フランジを有する可撓性の内容器を剥離可能に密着挿入された２重容器からなり、前記内容器のフランジの巾は前記外容器のフランジの巾より狭くされていると共に、前記外容器のフランジの内周に沿って前記内容器のフランジの巾で前記内容器のフランジの厚さだけ低くした段部が形成されており、その段部に前記内容器のフランジが嵌め込まれて、前記外容器のフランジの上面と前記内容器のフランジの上面が面一となるようにされており、前記２重容器の開口部を覆うように突き刺し密封性を有する蓋材を被せ、前記蓋材を前記外容器のフランジの上面及び前記内容器のフランジの上面と対向する領域においてのみ熱接着して取り付けられた構成からなることを特徴とする粘稠物包装容器。
【請求項２】
フランジを有すると共に底部に通気孔を有する剛性の外容器の内部に、フランジを有する可撓性の内容器を剥離可能に密着挿入された２重容器からなり、前記内容器のフランジと前記外容器のフランジの外縁部が面一となり且つ前記内容器のフランジの下面と前記外容器のフランジの上面とが対向するように構成されていると共に、前記内容器のフランジの下面と前記外容器のフランジの上面の領域のみが熱接着または接着剤を介して連結されており、前記２重容器の開口部を覆うように突き刺し密封性を有する蓋材を被せ、前記蓋材を前記外容器のフランジの上面と対向する領域においてのみ熱接着して取り付けられた構成からなることを特徴とする粘稠物包装容器。
【請求項３】
前記蓋材が、ガスバリアー層と未延伸ナイロン層と可撓性の優れたポリオレフィン樹脂層とからなる積層体から構成され、前記ガスバリアー層が、金属又は金属酸化物蒸着プラスチックフイルム、アルミニウム箔であることを特徴とする請求項１または２記載の粘稠物包装容器。
【請求項４】
前記内容器が、ポリオレフィン樹脂層とガスバリアー樹脂層としてのナイロン樹脂層と熱可塑性樹脂層としての非晶質ポリエステル層、ナイロン層またはポリスチレン層いずれかとの積層体からなり、前記ポリオレフィン樹脂層が内面となるように成形された構成であることを特徴とする請求項１〜３いずれかに記載の粘稠物包装容器。
【請求項５】
請求項１〜４いずれかに記載の粘稠物包装容器の上部に、下方に向けて伸びる吸出筒を備えたポンプ体が中央部に取り付けられると共に周縁に係合部が形成された蓋体を、前記蓋体の係合部を前記外容器のフランジに係合されて取り付けると共に、前記吸出筒の先端を前記蓋材を貫通させて前記内容器内に挿入した構成からなることを特徴とする粘稠物分配装置。
【発明の詳細な説明】
【０００１】
【発明の属する技術分野】
本発明は、粘稠物包装容器及び粘稠物分配装置に関する。
【０００２】
【従来の技術】
従来、粘稠物分配容器としては、チューブ状容器に内容物が収納し、チューブ状容器の側壁を押すことにより内容物を取り出すもの、ないしは剛性のあるプラスチックボトル等に注出用ポンプを取り付けた容器に内容物を収納し、注出用ポンプにより内容物を少量づつ取り出すもの等が知られているが、前者のものでは包装する容量を大きく出来ないと共に残さずに内容物を取り出すことが困難であるという欠点があり、後者のものにおいても内容物を最後まで残さず取り出すことができないという欠点があり、両者共に使い捨ての容器として使用されるものであった。また、特開平８−１８３５６１号に記載されているような、ブロー成形により合成樹脂製の外容器と外容器に剥離自在に積層された可撓性合成樹脂製の内容器とからなるボトル状の容器に注出用ポンプを取り付けた構成のものが知られている。この容器の場合、内容物収納部に外気を進入させることなく、また内容物を吸出して使い切ることのできる容器があるが、構造が複雑である上に使い捨て容器であり、詰め替え容器として使用できないという欠点がある。
【０００３】
【発明が解決しようとする課題】
本発明の目的は、粘稠な内容物を残さず取り出せると共に、詰め替え容器として使用できる粘稠物包装容器及び分配装置を提供することである。
【０００４】
【課題を解決するための手段】
フランジを有すると共に底部に通気孔を有する剛性の外容器の内部に、フランジを有する可撓性の内容器を剥離可能に密着挿入された２重容器からなり、前記内容器のフランジの巾は前記外容器のフランジの巾より狭くされていると共に、前記外容器のフランジの内周に沿って前記内容器のフランジの巾で前記内容器のフランジの厚さだけ低くした段部が形成されており、その段部に前記内容器のフランジが嵌め込まれて、前記外容器のフランジの上面と前記内容器のフランジの上面が面一となるようにされており、前記２重容器の開口部を覆うように突き刺し密封性を有する蓋材を被せ、前記蓋材を前記外容器のフランジの上面及び前記内容器のフランジの上面と対向する領域においてのみ熱接着して取り付けられた構成の粘稠物包装容器であるので、この粘稠物包装容器の蓋材を貫通させて吸出筒を挿入し内容物を取り出すことにより内容物の容量が減少すると、内容器が密封されていると共に蓋材の吸出筒の差し込み部の気密性が保たれているために、内容器の内部に外気が進入することがなく内容器内が負圧となる。一方、外容器の底部には通気孔が設けられているので内容器の外部に外圧がかかり、内容器の内圧よりも外圧の方が強くなるために、その圧力差により内容器と外容器が分離して内容器の底部が上に押し上げられた状態となり内容器の容積が減少する。内容物を更に取り出してゆくにつれて、内容器と外容器の分離が進行し、内容器が圧縮されて吸出筒の周辺に密着する状態で内容物が最後まで取り出すことができるものである。上記のように、内容器の内部に外気が進入することがないので内容物が酸化等により劣化することがなく内容物の保護性が保持できる。
【０００５】
上記の粘稠物包装容器において、前記外容器のフランジの内周域に段部を設け、その段部に前記内容器のフランジが嵌め込まれて、前記外容器のフランジの上面と前記内容器のフランジの上面が面一となるようにされており、前記２重容器の開口部を覆うように突き刺し密封性を有する蓋材を被せ、前記蓋材を前記外容器のフランジの上面及び前記内容器のフランジの上面と対向する領域においてのみ熱接着して取り付けた構成とすることにより、外容器のフランジの上面と内容器のフランジの上面を面一にすることができるので、蓋材を外容器のフランジ及び内容器のフランジに容易に熱接着して密封することができると共に、外容器と内容器を一体化することが容易となる。
【０００６】
上記の粘稠物包装容器において、前記蓋材をガスバリアー層と未延伸ナイロン層と可撓性に優れたポリオレフィン樹脂層とからなる積層体にて構成することにより、ポンプ体の吸出筒を蓋材を貫通させて内容器内に差し込んだ場合においても、吸出筒と蓋材との密着性がよく気密性が保たれるので、差し込み部から内容器に外気が進入することがなく内容物を最後まで取り出すことができる。
【０００７】
上記の粘稠物包装容器において、前記蓋材を、金属又は金属酸化物蒸着プラスチックフイルム、アルミニウム箔からなるガスバリアー層と未延伸ナイロン層と可撓性の優れたポリオレフィン樹脂層とからなる積層体とすることにより、蓋材のガスバリア性が優れたものになると共に、差し込み部における吸出筒と蓋材との気密性を保持することができる。
【０００８】
上記の粘稠物包装容器において、前記内容器を、ポリオレフィン樹脂層とガスバリアー樹脂層としてのナイロン樹脂層と熱可塑性樹脂層としての非晶質ポリエステル層、ナイロン層またはポリスチレン層いずれかとの積層体からなり、前記ポリオレフィン樹脂層が内面となるように成形された構成とすることにより、ガスバリアー性の優れた内容器とすることができると共に蓋材にて熱接着して内容器を密封することができるので内容物の保護性がきわめて良好となる。
【０００９】
上記の粘稠物包装容器の上部に、下方に向けて延びる吸出筒を備えたポンプ体が中央部に取り付けられると共に周縁に係合部が形成された蓋体を、前記蓋体の係合部を前記外容器のフランジに係合させて取り付けると共に、前記吸出筒の先端が蓋材を貫通して前記内容器内に挿入された構成の粘稠物分配装置とすることにより、内容物を最後まで使い切ることができると共に、内部に外気が入ることがないので内容物が酸化されるのを防止できるので、内容物の保護性の優れた分配装置とすることができる。
【００１０】
【発明の実施の形態】
以下、図面を引用して本発明の実施の形態を説明する。
図１は本発明の粘稠物包装容器の第１実施形態を示す断面図、図２は第１実施形態の粘稠物包装容器を利用した粘稠物分配装置を示す断面図、図３は内容物を一部取り出した状態の粘稠物分配装置の断面図、図４は本発明の粘稠物包装容器の第２実施形態を示す断面図、図５は第２実施形態の粘稠物包装容器を利用した粘稠物分配装置を示す断面図であって、１は外容器、1aは外容器フランジ、２は内容器、2aは内容器フランジ、３は蓋材、４は外容器周縁熱接着部、５は内容器周縁熱接着部、６は通気孔、７は蓋体、7aは係合部、８はポンプ体、９は吸出筒、10は内容物、11は空間、12は接着部をそれぞれ表す。
【００１１】
本発明の粘稠物包装容器の第１実施形態は、図１に示すとおり、フランジ1aを有すると共に底部に通気孔６を有する剛性のあるカップ状の外容器１の内部に、フランジ2aを有する可撓性のカップ状の内容器２が分離可能に密着した状態で挿入された２重容器に、２重容器の開口を覆うように蓋材３が２重容器のフランジに熱接着により取り付けられた構成である。内容器２のフランジ2aの巾は外容器１のフランジ1aの巾よりも狭くされていると共に、外容器１のフランジ1aの内周に沿って内容器２のフランジ2aの巾でフランジ2aの厚さだけ低くした段部が形成されており、その段部に内容器２のフランジ2aが嵌め込まれて、外容器１のフランジ1aの上面と内容器２のフランジ2aの上面が面一になるようにされて、外容器１のフランジ1aと内容器２のフランジ2aの上面と蓋材３の内面とがそれぞれ外容器周縁熱接着部４と内容器周縁熱接着部５にて熱接着されて、内容器２が密封されると共に内容器２と外容器１とが連結された構成となっている。この構成とすることにより内容器２が外容器１から分離して抜け落ちることがない。なお、外容器１および内容器２の形状としてはカップ状が好ましいが、フランジを有していれば円筒状、角筒状等の筒状でもよい。
【００１２】
本発明の第１実施形態の粘稠物包装容器を使用した粘稠物分配装置は、図２に示すように、図１に示す粘稠物包装容器の上部に、中央部に下方に延びる吸出筒９を備えたポンプ体８が取り付けられると共に周縁に係合部7aが形成された蓋体７を、蓋体７の係合部7aを外容器１のフランジ1aの下端部に係合させることにより取り付けると共に、ポンプ体８の下方に延びる吸出筒９を、粘稠物包装容器の蓋材３に突き刺して吸出筒９の先端を粘稠物包装容器の内部に挿入した構成である。この状態でポンプ体を作動させることにより内容物を取り出すことができるものである。
【００１３】
ポンプ体８を作動させて内容物10を取り出してゆくと、内容物10の量が減るにつれて、内容器２の容量が減少して、外容器１の内面と内容器２の外面間で剥離して内容器２が分離すると同時に、内容器２の容量の減少した分だけ外容器１の底部に設けられた通気孔６を通して外気が流入してきて、外容器１の底部に空間11ができる。このように内容物10を取り出してゆくと、内容器２の容量が減少するにつれて、内容器２が押しつぶされて外容器１から分離してゆき、外容器１の底部に空間11ができ外気が流入してくる。内容物が全て吸い出されると内容器２が完全に押しつぶされて、蓋材３の下面及び吸出筒９の周囲に密着した状態となり、内容物を残らず最後まで吸い出して使用することができるものである。使用中には、内容器２内に外気が一切入ることがないので内容物が酸化等により変質することがなく品質が保持される。
【００１４】
上記のようにして、内容物10を取り出し終わると、外容器１のフランジ1aと蓋体の係合部7aとの係合を外し、粘稠物包装容器から蓋体７を取り外して、使用済みの粘稠物包装容器を廃棄し新しい粘稠物包装容器と取り替えることにより、ポンプ体８を備えた蓋体は再利用できるものであり、本発明の粘稠物分配装置は粘稠物包装容器を取り替えることにより、詰め替え容器として使用できる。
【００１５】
本発明の粘稠物包装容器の第２実施形態は、図４に示すとおり、フランジ1aを有すると共に底部に通気孔６を有する剛性のあるカップ状の外容器１の内部に、フランジ2aを有する可撓性のカップ状の内容器２が分離可能に密着した状態で挿入された２重容器に、２重容器の開口を覆うように蓋材３が内容器２のフランジ2aに内容器周縁熱接着部５にて取り付けられた構成である。第２実施形態の場合は、外容器１と内容器２は、外容器１のフランジ1aの上面と内容器２のフランジ2aの下面とを熱接着して連結するか、ないしは接着剤を使用して接着部12にて連結される。熱接着して連結する場合は、内容器２の外面の層を熱接着性樹脂にて構成しておくことが必要である。
【００１６】
本発明の第２実施形態の粘稠物包装容器を使用した粘稠物分配装置は、図５に示すように、図４に示す粘稠物包装容器の上部に、中央部に下方に延びる吸出筒９を備えたポンプ体８が取り付けられると共に周縁に係合部7aが形成された蓋体７を、蓋体７の係合部7aを外容器１のフランジ1aの下端部に係合させることにより取り付けると共に、ポンプ体８の下方に延びる吸出筒９を、粘稠物包装容器の蓋材３に突き刺して吸出筒９の先端を粘稠物包装容器の内部に挿入した構成である。ポンプ体を作動させて内容物を取り出して使用する方法は第１実施形態の粘稠物包装容器を使用した粘稠物分配装置と同様である。
【００１７】
本発明の粘稠物包装容器に使用される外容器１は高密度ポリエチレン、ポリプロピレン、ポリエステル等の樹脂からなり、インジェクション成形により製造される剛性のある容器である。蓋材３は、未延伸ナイロン層と可撓性の優れたポリオレフィン樹脂層とからなる積層体、ないしはガスバリアー層と未延伸ナイロン層と可撓性の優れたポリオレフィン樹脂層とからなる積層体により構成されている。ガスバリアー層としては、ポリ塩化ビニリデン系樹脂（ＰＶＤＣ）、エチレン−ビニルアルコール共重合体（ＥＶＯＨ）、金属又は金属酸化物蒸着（ＶＭ）プラスチックフイルム、アルミニウム箔（ＡＬ）等が使用される。
【００１８】
蓋材３を構成する可撓性の優れたポリオレフィン樹脂としては、低密度ポリエチレン（ＬＤＰＥ）、エチレン−酢酸ビニル共重合体（ＥＶＡ）、エチレン−アクリル酸共重合体（ＥＡＡ）、エチレン−アクリル酸エチル共重合体（ＥＥＡ）、エチレン−メタクリル酸共重合体（ＥＭＡ）、アイオノマー樹脂（ＩＯ）等が使用される。蓋材３は、可撓性の優れたポリオレフィン樹脂層にて、内容器２のフランジ2aの上面ないしは内容器２のフランジ2aおよび外容器１のフランジ1aの上面に熱接着されて取り付けられる。
【００１９】
未延伸ナイロン層と可撓性の優れたポリオレフィン樹脂層とからなる蓋材の積層構成の例としては、未延伸ナイロン（ＣＮ）／ＬＤＰＥ、ＣＮ／ＥＶＡ、ＣＮ／ＥＡＡ等であり、ＣＮ、ＬＤＰＥ、ＥＶＡ、ＥＡＡ等のフイルムをドライラミネーション等により積層してもよいし、それらの樹脂を共押出しすることにより積層してもよい。フイルムをドライラミネーションして積層する方法の場合は印刷は未延伸ナイロンフイルムの裏面に、共押出しにより製造する場合はナイロン層の表面にそれぞれ印刷する。
【００２０】
ガスバリアー層と未延伸ナイロン層と可撓性の優れたポリオレフィン樹脂層とからなる蓋材の積層構成の例としては、ガスバリアー層としてポリ塩化ビニリデン系樹脂（ＰＶＤＣ）を使用する場合は、ＰＶＤＣ／ＣＮ／ＰＥ、ＰＶＤＣ／ＣＮ／ＥＶＡ、ＣＮ／ＰＶＤＣ／ＰＥ、ＣＮ／ＰＶＤＣ／ＥＶＡ等であり、ポリ塩化ビニリデン系樹脂（ＰＶＤＣ）をコーテイングした未延伸ナイロン（ＣＮ）フイルムを使用してドライラミネーションにより積層するか、それらの樹脂を共押出しすることにより積層体を作製することができる。ガスバリアー層としてエチレン−ビニルアルコール共重合体（ＥＶＯＨ）を使用する場合は、ＥＶＯＨ／ＣＮ／ＰＥ、ＥＶＯＨ／ＣＮ／ＥＶＡ、ＣＮ／ＥＶＯＨ／ＰＥ、ＣＮ／ＥＶＯＨ／ＥＶＡ等であり、それらの樹脂からなるフイルムのドライラミネーションないしは共押出しにより積層することができる。ガスバリアー層として金属又は金属酸化物蒸着（ＶＭ）プラスチックフイルムを使用する場合は、２軸延伸ナイロン（ＯＮ）／ＶＭ／ＣＮ／ＰＥ、ＯＮ／ＶＭ／ＣＮ／ＥＶＡ等であり、ガスバリアー層としてアルミニウム箔（ＡＬ）を使用する構成は、ＡＬ／ＣＮ／ＰＥ、ＡＬ／ＣＮ／ＥＶＡ等である。
【００２１】
内容器２は、ポリオレフィン樹脂層とガスバリアー樹脂層とからなる積層体、ないしはポリオレフィン樹脂層とガスバリアー樹脂層と熱可塑性樹脂層とからなる積層体を使用して、ポリオレフィン樹脂層が内面となるように成形された可撓性の優れた容器である。ガスバリアー樹脂層としては、エチレン−ビニルアルコール共重合体（ＥＶＯＨ）、塩化ビニリデン系樹脂（ＰＶＤＣ）、ナイロン樹脂（ＮＹ）等が使用される。ポリオレフィン樹脂層としては、低密度ポリエチレン（ＬＤＰＥ）、線状低密度ポリエチレン（ＬＬＤＰＥ）、エチレン−酢酸ビニル共重合体（ＥＶＡ）、ポリプロピレン（ＰＰ）、エチレン−プロピレン共重合体（ＥＰ）等が使用できる。熱可塑性樹脂層としては、低密度ポリエチレン（ＬＤＰＥ）、線状低密度ポリエチレン（ＬＬＤＰＥ）、ポリプロピレン（ＰＰ）、エチレン−プロピレン共重合体（ＥＰ）、非晶質ポリエステル（ＰＥＴ）、ナイロン（ＮＹ）、ポリスチレン（ＰＳＴ）等が使用できる。
【００２２】
ポリオレフィン樹脂層とガスバリアー樹脂層とからなる内容器の積層構成の具体例としては、（内面）ＰＥ／ＮＹ、（内面）ＰＥ／ＥＶＯＨ、（内面）ＥＰ／ＥＶＯＨ、（内面）変成ＰＰ／ＥＶＯＨ等であり、ポリオレフィン樹脂層とガスバリアー樹脂層と熱可塑性樹脂層とからなる内容器の積層構成の具体例としては、（内面）ＰＥ／ＥＶＯＨ／ＮＹ（外面）、（内面）ＥＰ／ＥＶＯＨ／ＮＹ（外面）、（内面）ＰＥ／ＥＶＯＨ／ＰＥ（外面）、（内面）ＥＰ／ＥＶＯＨ／ＥＰ（外面）、（内面）変成ＰＰ／ＥＶＯＨ／変成ＰＰ（外面）、（内面）ＰＥ／ＥＶＯＨ／ＰＥＴ（外面）、（内面）ＥＰ／ＥＶＯＨ／ＰＳ（外面）等である。上記積層フイルムは多層押出により製造されるものであり、各層間の接着強度を強くするために各層間に接着層を入れた多層押出フイルムとしてもよい。内容器２を構成する積層体は、可撓性があり、耐ピンホール性に優れたものが好ましい。次に述べる２重容器の製造方法によっては、内容器２を構成する積層体の外面となる熱可塑性樹脂は、外容器１と熱接着しないもの、ないしは外容器１と密着しにくいものを使用する必要がある。内容器２を構成する積層体の外面となる熱可塑性樹脂層に、外容器１との接着を阻害するスリップ剤等の添加剤を加えた樹脂を使用するようにしてもよい。
【００２３】
外容器１の内部に内容器２を剥離可能に装着する方法としては、外容器１と内容器２を別々に成形して作製して、外容器１内に内容器２を挿入する方法、予め作製した内容器２を、インジェクション成形金型に嵌め込んだ後に外容器１をインジェクション成形して容器を作製するいわゆるインサート成形方法、外容器１をインジェクション成形により予め作製しておき、外容器１を成形型として内容器を構成する積層フイルムを真空成形ないしは圧空成形して、外容器１の内面に密着して内容器２を形成する方法等により製造することができる。インサート成形方法にて製造する場合には、内容器を構成する積層フイルムの外面のガスバリアー樹脂層ないしは熱可塑性樹脂層と外容器１を構成する高密度ポリエチレンないしはポリプロピレンとが熱により接着しないものを選定しておくことが必要になる。
【００２４】
【発明の効果】
フランジを有すると共に底部に通気孔を有する剛性の外容器の内部に、フランジを有する可撓性の内容器を剥離可能に密着して挿入された２重容器からなり、２重容器の開口部を覆う蓋材が、内容器のフランジないしは内容器及び外容器のフランジに熱接着して取り付けられた構成の粘稠物包装容器であるので、この粘稠物包装容器の蓋材を貫通させて吸出筒を挿入し内容物を取り出すことにより内容物の容量が減少すると、内容器が密封されていると共に蓋材の吸出筒の差し込み部の気密性が保たれているために、内容器の内部に外気が進入することがなく内容器内が負圧となる。一方、外容器の底部には通気孔が設けられているので内容器の外部に外圧がかかり、内容器の内圧よりも外圧の方が強くなるために、その圧力差により内容器と外容器が分離して内容器の底部が上に押し上げられた状態となり内容器の容積が減少する。内容物を更に取り出してゆくにつれて、内容器と外容器の分離が進行し、内容器が圧縮されて吸出筒の周辺に密着する状態で内容物が最後まで取り出すことができるものである。上記のように、内容器の内部に外気が進入することがないので内容物が酸化等により劣化することがなく内容物の保護性が保持できる。
上記の粘稠物包装容器において、外容器のフランジの内周域に段部を設け、段部内に内容器のフランジを載置して、蓋材を内容器のフランジ及び外容器のフランジに熱接着して取り付けた構成とすることにより、外容器のフランジの上面と内容器のフランジの上面を面一にすることができるので、蓋材を外容器のフランジ及び内容器のフランジに容易に熱接着して密封することができると共に、外容器と内容器を一体化することが容易となる。
上記の粘稠物包装容器において、蓋材を、未延伸ナイロン層と可撓性に優れたポリオレフィン樹脂層とからなる積層体にて構成することにより、ポンプ体の吸出筒を蓋材を貫通させて内容器内に差し込んだ場合においても、吸出筒と蓋材との密着性がよく気密性が保たれるので、差し込み部から内容器に外気が進入することがなく内容物を最後まで取り出すことができる。
上記の粘稠物包装容器において、蓋材を、ポリ塩化ビニリデン系樹脂、エチレン−ビニルアルコール共重合体、金属ないしは金属酸化物蒸着２軸延伸プラスチックフイルム、アルミニウム箔からなるガスバリアー層と未延伸ナイロン層と可撓性の優れたポリオレフィン樹脂層とからなる積層体とすることにより、蓋材のガスバリア性が優れたものになると共に、差し込み部における吸出筒と蓋材との気密性を保持することができる。
上記の粘稠物包装容器において、内容器を、ポリオレフィン樹脂層とガスバリアー樹脂層との積層体、ないしはポリオレフィン樹脂層とガスバリアー樹脂層と熱可塑性樹脂層との積層体からなり、ポリオレフィン樹脂層が内面となるように成形された構成とすることにより、ガスバリアー性の優れた内容器とすることができるので内容物の保護性がきわめて良好となる。
上記の粘稠物包装容器の上部に、下方に向けて延びる吸出筒を備えたポンプ体が中央部に取り付けられると共に周縁に係合部が形成された蓋体を、蓋体の係合部を外容器のフランジに係合固定して取り付けると共に、吸出筒の先端が蓋材を貫通して内容器内に挿入された構成の粘稠物分配装置とすることにより、内容物を最後まで使い切ることができると共に、内部に外気が入ることがないので内容物が酸化されるのを防止できるので、内容物の保護性の優れた分配装置とすることができる。
【図面の簡単な説明】
【図１】本発明の粘稠物包装容器の第１実施形態を示す断面図。
【図２】第１実施形態の粘稠物包装容器を利用した粘稠物分配装置を示す断面図。
【図３】内容物を一部取り出した状態の粘稠物分配装置の断面図。
【図４】本発明の粘稠物包装容器の第２実施形態を示す断面図。
【図５】第２実施形態の粘稠物包装容器を利用した粘稠物分配装置を示す断面図。
【符号の説明】
１  外容器                          ７  蓋体
1a  外容器フランジ                  7a  係合部
２  内容器                          ８  ポンプ体
2a  内容器フランジ                  ９  吸出筒
３  蓋材                            10  内容物
４  外容器周縁熱接着部              11  空間
５  内容器周縁熱接着部              12  接着部
６  通気孔
【図１】
0003966957.tif 000002
【図２】
0003966957.tif 000003
【図３】
0003966957.tif 000004
【図４】
0003966957.tif 000005
【図５】
0003966957.tif 000006